(57)【要約】      （修正有）【課題】再利用により無駄が生じないようにすると共に、飲料を整水可能にするウォーターサーバ用ペットボトル取り付け器具を提供する。【解決手段】ペットボトル１０８のボトル口４１０が挿入され、かつウォーターサーバの飲料供給ノズル４０２が挿入される取り付け器具本体２０１と、第１筒部２０２内に移動可能に収容された栓部３０１と、磁力により栓部３０１と吸着可能な吸着部３０２とを備え、取り付け器具本体２０１をウォーターサーバに取り付けていない状態では栓部３０１が吸着部３０２に吸着して第２筒部２０４を塞ぐことが可能に構成される。ウォーターサーバに取り付けた状態では飲料供給ノズル４０２によって栓部３０１が吸着部３０２から離されて第１筒部２０２に取り付けられたペットボトル１０８からの飲料を飲料供給ノズル４０２の貫通穴４０３を介してウォーターサーバに供給可能にする。【選択図】図４
0003184240.tif 000002
【実用新案登録請求の範囲】
【請求項１】
ペットボトルのボトル口が挿入される第１筒部と、前記第１筒部よりも細く、ウォーターサーバの供給口に配設されウォーターサーバに飲料を取り込むための飲料供給ノズルが挿入される第２筒部と、前記第１筒部と第２筒部を連結するテーパ状の連結部とを有する取り付け器具本体と、
前記第１筒部内に移動可能に収容された栓部と、
前記連結部又は前記第２筒部と一体的に設けられ、磁力によって前記栓部と吸着可能な吸着部とを備え、
前記栓部と前記吸着部のいずれか一方が磁石であり、他方が前記磁石と吸着可能な磁性部材によって構成されて成り、
前記取り付け器具本体を前記ウォーターサーバに取り付けていない状態では前記栓部が前記吸着部に吸着して前記第２筒部を塞ぐことができるように構成されると共に、前記取り付け器具本体を前記ウォーターサーバに取り付けた状態では前記飲料供給ノズルによって押されて前記栓部が前記吸着部から離され、前記第１筒部に取り付けられたペットボトルからの飲料を前記第１筒部及び前記飲料供給ノズルを介して前記ウォーターサーバに供給できるように構成されて成ることを特徴とするウォーターサーバ用ペットボトル取り付け器具。
【請求項２】
前記取り付け器具本体と一体的に設けられ、少なくとも前記ウォーターサーバの供給口を覆う覆い部を備えて成ることを特徴とする請求項１記載のウォーターサーバ用ペットボトル取り付け器具。
【請求項３】
前記覆い部は、前記ウォーターサーバに設けられたガロンボトルの載置部を覆うように構成されて成ることを特徴とする請求項２記載のウォーターサーバ用ペットボトル取り付け器具。
【請求項４】
前記栓部は磁石の粒体をプラスチック部材又はゴム部材に混入した球体であり、前記吸着部は磁性材料によって構成されて成ることを特徴とする請求項１乃至３のいずれか一に記載のウォーターサーバ用ペットボトル取り付け器具。
【請求項５】
前記栓部は磁石の塊をプラスチック部材又はゴム部材によって球形に覆って成り、前記吸着部は磁性材料によって構成されて成ることを特徴とする請求項１乃至３のいずれか一に記載のウォーターサーバ用ペットボトル取り付け器具。
【考案の詳細な説明】
【技術分野】
【０００１】
本考案は、ペットボトルをウォーターサーバに取り付けるウォーターサーバ用ペットボトル取り付け器具に関する。
【背景技術】
【０００２】
従来から、飲料水等の飲料を充填した樹脂製容器（いわゆるガロンボトル）をウォーターサーバ上に載置し、前記ガロンボトルに充填された飲料を前記ウォーターサーバによって加熱と冷却を行い、前記ウォーターサーバに設けられた注ぎ口から湯や冷水を注ぐようにした考案が開発されている（特許文献１参照）。
前記ガロンボトルは大きな容量（例えば１２リットル）を有しており、したがって、高齢者等の非力な者にとって、ガロンボトルの交換を行うことは労力的に大きな負担となり、困難が伴うという問題がある。
【０００３】
係る問題を解決するために、小容量（例えば２〜３リットル以下）の飲料容器であるペットボトルを利用するようにした考案が開発されている（特許文献２参照）。特許文献２記載の考案は、十字切欠付のパッキンキャップを取り付けた円孔キャップによりペットボトルに蓋をしておき、ペットボトルをウォーターサーバに取り付けることによって、パッキンキャップの十字切欠に水供給ノズルを挿通させて、ペットボトル内の水をウォーターサーバに供給するようにしている。
これによりペットボトルを利用できるため、非力な者にとって利便性が向上するという効果がある。しかしながら、パッキンキャップは１回限りの使い捨てであるため資源的な無駄が生じ利用効率が悪いという問題がある。
【０００４】
この問題を解決する方法として、特許文献３、４に記載された考案が開発されている。
特許文献３記載の考案では、バネで弁体を閉状態にしてペットボトルに蓋をしておき、ペットボトルをウォーターサーバに取り付けることによって水供給ノズルで弁体を開状態にし、ペットボトル内の水をウォーターサーバに供給するように構成している。これにより再利用が可能になっている。
【０００５】
また、特許文献４に記載された考案では、摺動可能に構成した栓部によってペットボトルに栓をしておき、ペットボトルをウォーターサーバに取り付けることにより、水供給ノズルで栓部を摺動させて開状態にし、ペットボトル内の水をウォーターサーバに供給するように構成している。これにより再利用が可能になっている。
【０００６】
しかしながら、特許文献３、４記載の考案は、ペットボトルの水をそのままの状態で利用して、ウォーターサーバによって加熱及び冷却することにより湯や冷水を飲用するようにしたものである。ペットボトルの飲料には多種多様な種々の種類の飲料等があるため、高齢者や乳幼児等にとって好ましい品質ではない恐れがある。
【先行技術文献】
【特許文献】
【０００７】
【特許文献１】特開２０１０−２６９８２９号公報
【特許文献２】特開２００４−１４２８２６号公報
【特許文献３】特開２００６−２２５０１２号公報
【特許文献４】実用新案登録第３１７０１８５号公報
【考案の概要】
【考案が解決しようとする課題】
【０００８】
上述したように、特許文献２〜４記載の考案ではペットボトルを利用するため非力な者にとっても利便性が向上する。しかしながら、ペットボトルに充填された飲料をそのまま加熱や冷却することによって利用しており、ペットボトルの飲料には種々の種類があるため、高齢者や病人などにとって好ましい品質ではない場合がある等の問題がある。
更に特許文献２記載の考案では、使い捨てのパッキンキャップを使用するため資源的な無駄が生じる等の問題がある。
【０００９】
本考案は、ペットボトルをウォーターサーバに取り付ける取り付け器具において、再利用可能にすることによって無駄が生じないようにすると共に、飲料を整水可能にすることを課題としている。
【課題を解決するための手段】
【００１０】
本考案によれば、ペットボトルのボトル口が挿入される第１筒部と、前記第１筒部よりも細く、ウォーターサーバの供給口に配設されウォーターサーバに飲料を取り込むための飲料供給ノズルが挿入される第２筒部と、前記第１筒部と第２筒部を連結するテーパ状の連結部とを有する取り付け器具本体と、
前記第１筒部内に移動可能に収容された栓部と、
前記連結部又は前記第２筒部と一体的に設けられ、磁力によって前記栓部と吸着可能な吸着部とを備え、
前記栓部と前記吸着部のいずれか一方が磁石であり、他方が前記磁石と吸着可能な磁性部材によって構成されて成り、
前記取り付け器具本体を前記ウォーターサーバに取り付けていない状態では前記栓部が前記吸着部に吸着して前記第２筒部を塞ぐことができるように構成されると共に、前記取り付け器具本体を前記ウォーターサーバに取り付けた状態では前記飲料供給ノズルによって押されて前記栓部が前記吸着部から離され、前記第１筒部に取り付けられたペットボトルからの飲料を前記第１筒部及び前記飲料供給ノズルを介して前記ウォーターサーバに供給できるように構成されて成ることを特徴とするウォーターサーバ用ペットボトル取り付け器具が提供される。
【考案の効果】
【００１１】
本考案に係るウォーターサーバ用ペットボトル取り付け器具によれば、再利用可能にすることによって無駄が生じないようにすると共に、飲料を整水可能にすることを課題としている。
【図面の簡単な説明】
【００１２】
【図１】本考案の実施の形態に係るウォーターサーバ用ペットボトル取り付け器具によってプットボトルをウォーターサーバに取り付けた状態を示す概観図である。
【図２】本考案の実施の形態に係るウォーターサーバ用ペットボトル取り付け器具の斜視図である。
【図３】図２のＡ−Ａ断面図である。
【図４】本考案の実施の形態に係るウォーターサーバ用ペットボトル取り付け器具の使用方法の説明図で、ウォーターサーバへのペットボトル取り付けが完了する前の状態を示す説明図である。
【図５】本考案の実施の形態に係るウォーターサーバ用ペットボトル取り付け器具の使用方法の説明図で、ウォーターサーバへのペットボトル取り付けが完了した後の状態を示す説明図である。
【図６】本考案の実施の形態に係るウォーターサーバ用ペットボトル取り付け器具に使用する栓部の構成を示す図である。
【考案を実施するための形態】
【００１３】
図１は、本考案の実施の形態に係るウォーターサーバ用ペットボトル取り付け器具によってペットボトルをウォーターサーバに取り付けた状態を示す概観図である。
図１において、ウォーターサーバ１０１は、ウォーターサーバ本体１０２、ウォーターサーバ本体１０２の前面に配設された冷水栓１０５及び温水栓１０６を備えている。１０３はウォーターサーバ１０１の上部１０４はウォーターサーバ１０１の下部である。
【００１４】
下部１０４側が所望の位置に設置され、上部１０３には本実施の形態に係るウォーターサーバ用ペットボトル取り付け器具１０７によってペットボトル１０８が取り付けられて利用される。
ウォーターサーバ１０１は、上部１０３側から供給される飲料を加熱する機能と冷却する機能を有しており、冷水栓１０５、温水栓１０６を開くことによって、冷飲料、温飲料が供給されるように構成されている。
【００１５】
図２は本考案の実施の形態に係る取り付け器具１０７の概観斜視図、図３は図２のＡ−Ａ断面図である。図４は、取り付け器具１０７の使用方法の説明図で、ウォーターサーバ１０１へのペットボトル１０８取り付け完了前の状態を示す説明図である。また、図５は、取り付け器具１０７の使用方法の説明図で、ウォーターサーバ１０１へのペットボトル１０８取り付け完了後の状態を示す説明図である。
【００１６】
図１乃至図５において、本考案の実施の形態に係るウォーターサーバ用ペットボトル取り付け器具１０７は、ペットボトル１０８のボトル口４１０を収容する第１筒部２０２と、第１筒部２０２よりも太さが細くウォーターサーバ１０１の供給口４０１に配設された飲料供給ノズル４０２を収容する第２筒部２０４と、第１筒部２０２と第２筒部２０４を連結するテーパ状の連結部２０３とを有する取り付け器具本体２０１を有している。第１筒部２０２、連結部２０３、第２筒部２０４は一体的に形成されている。
【００１７】
第１筒部２０２はペットボトル１０８からの飲料が通る第１流路２０７を有している。第２筒部２０４は第１流路２０７よりも細い第２流路２０８有している。
第１筒部２０２内面側には、ペットボトル１０８のボトル口４１０の外径と略等しい内径を有しボトル口４１０が第１筒部２０２に挿入された状態で第１筒部２０２とボトル口４１０間に隙間ができないようにしてボトル口４１０を保持する凸部３０３が第１筒部２０２と一体的に設けられている。凸部３０３は第１筒部２０２の内面沿って環状に形成されている。
【００１８】
第１筒部２０２の外面には、取り付け器具本体２０１の長さ方向（換言すれば飲料が流れる方向）と直交する方向に円板状に形成された覆い部２０６が第１筒部２０２と一体的に形成されている。覆い部２０６は、少なくとも供給口４０１を覆う大きさに形成されている。
【００１９】
覆い部２０６は、少なくとも供給口４０１を介して塵埃がウォーターサーバ１０１内に入らないようにするためのものである。覆い部２０６は、ウォーターサーバ１０１に設けられたガロンボトル（図示せず）を載置する凹部形状の載置部４０５を覆う大きさに構成するようにしてもよい。これにより、より的確に排除供給口４０１を介して塵埃が侵入しないようにすることができる。
【００２０】
第２筒部２０４の最下端部には例えばゴムによって構成された弾性部材２０５が第２筒部２０４と一体的に形成されている。弾性部材２０５は第２筒部と同じ径で環状に形成されている。
ペットボトル１０８及び取り付け器具１０７をウォーターサーバ１０１に取り付ける際、弾性部材２０５が供給口４０１の底部に当接することにより、取り付け器具１０７及びウォーターサーバ１０１に傷などが生じないように弾性部材２０５が設けられている。
【００２１】
ペットボトル１０８に充填されている水やお茶等の飲料は、ボトル口４１０から取り付け器具１０７の第１筒部２０２内の第１流路２０７を経由してウォーターサーバ１０１の飲料供給ノズル４０２に形成された複数の貫通穴４０３を介してウォーターサーバ１０１へ供給される。
【００２２】
筒部２０２、２０４は円筒形に構成されている。第２筒部２０４の内径は第１筒部２０２の内径よりも細く構成され、又、筒部２０２、２０４を連結する連結部２０３の内面は円錐台状の形状を有している。
また、ウォーターサーバ用ペットボトル取り付け器具１０７は、第１筒部２０２内で移動可能に収容された栓部３０１と、連結部２０３に一体的に設けられ、磁力によって栓部３０１と吸着可能な吸着部３０２とを備えている。吸着部３０２は、連結部２０３ではなく第２筒部２０４に一体的に設けるように構成してもよい。
【００２３】
吸着部３０２は円環状の形状を有する磁性材料によって構成することができる。また、吸着部３０２は、接着や一体成型等の方法によって連結部２０３又は第２筒部２０４に一体的に形成され、これにより、取り付け器具本体２０１と一体的に形成される。
栓部３０１と吸着部３０２のいずれか一方を永久磁石とし、他方を永久磁石と吸着可能な磁性部材（例えば鉄）によって構成するようにしてもよい。
【００２４】
取り付け器具本体２０１をウォーターサーバ１０１に取り付けていない状態では栓部３０１が吸着部３０２に吸着して第２筒部２０４を塞ぐことが可能なように構成されている。また、取り付け器具本体２０１をウォーターサーバ１０１に取り付けた状態ではウォーターサーバ１０１の飲料供給ノズル４０２によって栓部３０１が押されて吸着部３０２から離され第１筒部２０２に取り付けられたペットボトル１０８からの飲料を飲料供給ノズル４０２を介してウォーターサーバ１０１に供給可能なように構成されている。
【００２５】
栓部３０１を永久磁石を含む構成とした場合の例を図６に示している。
同図（ａ）は本考案の第１の実施の形態に係る栓部３０１の概観図である。同図（ａ）に示す栓部３０１は、磁石粒体６０１をプラスチック部材又はゴム部材６０２に混入した球体である。
【００２６】
同図（ｂ）は本考案の第２の実施の形態に係る栓部３０１の概観図である。同図（ｂ）に示す栓部３０１は、磁石の塊６０３をプラスチック部材又はゴム部材６０４によって球形に覆って成る球体である。
部材６０２、６０４はセラミックでも可能であるが、弾性を有するプラスチック部材又はゴム部材によって構成することにより、栓部３０１と吸着部３０２が吸着した際に栓部３０１が変形して、第２筒部２０４の流路２０８をより確実に塞ぐことが可能になる。
【００２７】
栓部３０１が吸着部３０２に吸着することによって第２筒部２０４の第２流路２０８を閉じてペットボトル１０８内の飲料がウォーターサーバ１０１内に流入しないようにすると共に、栓部３０１が吸着部３０２から離れることによって第２筒部２０４の第２流路２０８を開いてペットボトル１０８内の飲料がウォーターサーバ１０１内に流入できるようにする。栓部３０１は球体であるためこのような動作を容易に実現することが可能であるが、栓部３０１を楕円形や半球状に構成する等の種々の変形が可能である。
【００２８】
上記のように構成された取り付け器具１０７を用いてウォーターサーバ１０１にペットボトル１０８を取り付ける際の動作を図１〜図６に沿って説明する。
初期状態では、図３に示すように、栓部３０１は磁力によって吸着部３０２に吸着している。この状態では、第２筒部２０４が塞がれた状態にあり、飲料は第１流路２０７から第２流路２０８へ流れない。
この状態で、飲料が充填されたペットボトル１０８のボトル口４１０を上に向けた状態で開栓し、ペットボトル１０８に当初から装着されていた栓（図示せず）を取り除く。
【００２９】
次に、取り付け器具１０７を図３において上下逆にした状態にし、取り付け器具１０７の第１筒部２０２内にペットボトル１０８のボトル口４１０を挿入する。これにより、図４に示すように、ボトル口４１０は環状の凸部３０３によって隙間が生じることなく第１筒部２０２内に収容される。
【００３０】
この状態から、図４に示すように、取り付け器具１０７を装着した状態のペットボトル１０８を上下逆さにし、第２筒部２０４をウォーターサーバ１０１の供給口４０１に挿入して、第２筒部２０４内に、貫通穴４０３も含めて飲料供給ノズル４０２を挿入する。尚、図４の状態では、飲料供給ノズル４０２は栓部３０１に未だ当接していない状態である。
【００３１】
図４の状態から、弾性部材２０５が供給口４０１の底部４０４に当接する位置まで、取り付け器具１０７を供給口４０１に押し込み、取り付けを完了する。これにより、図５に示す状態となる。この状態では、飲料供給ノズル４０２が栓部３０１を上方に押し上げることにより、栓部３０１が吸着部３０２から離れた状態に位置することになる。
【００３２】
これにより、栓部３０１によって塞がれていた第２筒部２０４が開栓されて、ペットボトル１０８に充填されている飲料は、破線矢印で示すように、ペットボトル１０８のボトル口４１０、第１筒部２０２の第１流路２０７、飲料供給ノズル４０２の貫通穴４０３を介してウォーターサーバ１０１内に流入することができる。
栓部３０１は磁石によって構成されているため磁気の作用により、ペットボトル１０８からウォーターサーバ１０１へ流れる飲料を整水することができ、利用者の身体に優しい飲料を得ることができる。また、取り付け器具１０７は再利用可能である。
【００３３】
以上述べたように本考案の実施の形態に係るウォーターサーバ用ペットボトル取り付け器具は、
ペットボトル１０８のボトル口４１０が挿入される第１筒部２０２と、前記第１筒部２０２よりも細く、ウォーターサーバ１０１の供給口４０１に配設されウォーターサーバに飲料を取り込むための飲料供給ノズル４０２が挿入される第２筒部２０４と、前記第１筒部２０２と第２筒部２０４を連結するテーパ状の連結部２０３とを有する取り付け器具本体２０１と、
前記第１筒部２０２内に移動可能に収容された栓部３０１と、
前記連結部２０３又は前記第２筒部２０４と一体的に設けられ、磁力によって前記栓部３０１と吸着可能な吸着部３０２とを備え、
前記栓部３０１と前記吸着部３０２のいずれか一方が磁石であり、他方が前記磁石と吸着可能な磁性部材によって構成されて成り、
前記取り付け器具本体２０１を前記ウォーターサーバ１０１に取り付けていない状態では前記栓部３０１が前記吸着部３０２に吸着して前記第２筒部２０４を塞ぐことができるように構成されると共に、前記取り付け器具本体２０１を前記ウォーターサーバ１０１に取り付けた状態では前記飲料供給ノズル４０２によって前記栓部３０１が前記吸着部３０２から離されて前記第１筒部２０２に取り付けられたペットボトル１０８からの飲料を前記第１筒部２０２及び前記飲料供給ノズル４０２を介して前記ウォーターサーバ１０１に供給できるように構成されて成ることを特徴としている。
【００３４】
ここで、取り付け器具本体２０１と一体的に設けられ、少なくともウォーターサーバ１０１の供給口４０１を覆う覆い部２０６を備えて成るように構成することができる。
また、覆い部２０６は、ウォーターサーバ１０１に設けられたガロンボトルの載置部４０５を覆うように構成することができる。
【００３５】
また、栓部３０１は磁石の粒体６０１をプラスチック部材又はゴム部材６０２に混入した球体であり、吸着部材３０２は磁性材料によって構成するようにすることができる。
また、栓部３０１は所定大きさの磁石の塊６０３をプラスチック部材又はゴム部材６０４によって球形に覆って成り、吸着部材３０２は磁性材料によって構成するようにすることができる。
【００３６】
したがって、本考案に係るウォーターサーバ用ペットボトル取り付け器具１０７によれば、栓部３０１及び吸着部３０２を用いて栓の開閉を行うため、再利用が可能であり資源を無駄にすることを防止することが可能になる。
また、栓部３０１又は吸着部３０２が磁石を含むため、飲料を整水することが可能になり、磁気水のような高齢者等にとって好ましい品質の飲料に改質することが可能である。
また、第１筒部２０２、連結部２０３、第２筒部２０４、吸着部３０２を一体的に構成し、第１筒部２０２内に栓部３０１を配設した構成としているため、構成が簡単である。
【００３７】
尚、中空の第１筒部２０２、中空の第２筒部２０４は必ずしも各々均一の径に構成する必要はない。例えば本考案の実施の形態では第１筒部２０２を、凸部３０３を除いて内径が均一な筒状に構成したが、栓部３０１の大きさに応じて径を変える（例えば、栓部３０１を収容する部分の内径を、その他の部分の内径よりも大きく構成する）等、種々の変更が可能である。
また、ペットボトルに充填された飲料として、水や緑茶のみならず、コーヒーや紅茶等の各種飲料が利用可能である。
【産業上の利用可能性】
【００３８】
飲料を充填したペットボトルをウォーターサーバに取り付けるためのウォーターサーバ用ペットボトル取り付け器具に適用可能である。
【符号の説明】
【００３９】
１０１・・・ウォーターサーバ
１０２・・・ウォーターサーバ本体
１０３・・・上部
１０４・・・下部
１０５・・・冷水栓
１０６・・・温水栓
１０７・・・ウォーターサーバ用ペットボトル取り付け器具
１０８・・・ペットボトル
２０１・・・取り付け器具本体
２０２・・・第１筒部
２０３・・・連結部
２０４・・・第２筒部
２０５・・・弾性部材
２０６・・・覆い部
２０７・・・第１流路
２０８・・・第２流路
３０１・・・栓部
３０２・・・吸着部
３０３・・・凸部
４０１・・・供給口
４０２・・・飲料供給ノズル
４０３・・・貫通穴
４０４・・・底部
４０５・・・載置部
４１０・・・ボトル口
６０１・・・磁石粒体
６０２、６０４・・・プラスチック部材又はゴム部材
６０３・・・磁石の塊
【図１】
0003184240.tif 000003
【図２】
0003184240.tif 000004
【図３】
0003184240.tif 000005
【図４】
0003184240.tif 000006
【図５】
0003184240.tif 000007
【図６】
0003184240.tif 000008